(57)【特許請求の範囲】
【請求項１】
板状体の側辺に対して挾持状態で脱着可能に嵌合装着される嵌合装着部を備えたベース枠に、書籍の背面側を嵌合装着部の開口先端側ほど上方に位置する傾斜姿勢で受止める背凭れ部を備えた書籍受け枠を取付けるとともに、前記ベース枠又は書籍受け枠若しくはこれら両者には、嵌合装着部の奥側に偏倚した部位で書籍の下端を脱着自在に載置支持する受け部を形成し、更に、前記ベース枠に対して書籍受け枠を揺動自在に連結して、ベース枠の上部に書籍受け枠が所定姿勢で起立する書籍受止め姿勢と、ベース枠の少なくとも一部が書籍受け枠の書籍受止め領域内に入り込む状態でベース枠を背凭れ部側に近接揺動させた格納姿勢に切換え自在に構成してある書見台。
【請求項２】
前記書籍受け枠には、背凭れ部の前面との間で書籍受け板を脱着自在に保持する保持部材が設けられている請求項１記載の書見台。
【請求項３】
前記書籍受け枠が、下向き開口形状に折り曲げられた背凭れ部を構成する線材部と、この背凭れ用線材部の両下端から前方に延出された受け部を構成する左右一対の線材部と、この両受け用線材部の前端同士を繋ぐ線材部とからなり、前記繋ぎ用線材部には、受け用線材部に載置支持された書籍の前方側への脱落移動を阻止する落ち止め部が上方に屈曲形成されている請求項１又は請求項２記載の書見台。
【請求項４】
前記ベース枠は、板状体の端部に対する嵌合空間を隔てて上下で相対向する平面視前方開口形状のベース用線材部と、両ベース用線材部の上下方向で相対向する端部同士を繋ぐ一対の繋ぎ用線材部とからなり、上側ベース用線材部の前端側には、前記書籍受け枠の繋ぎ用線材部を水平軸芯周りで揺動自在に支承する軸受け筒が設けられている請求項３記載の書見台。
【請求項５】
前記保持部材が、書籍受け枠の両受け用線材部の後端側に、背凭れ用線材部との間に書籍受け板を抜き差し自在に保持するための凹部を形成する状態で設けられた線材部から構成されているとともに、前記凹部形成用線材部には、ベース枠の上側線材部に当接して書籍受け枠を書籍受止め姿勢に保持する当り部が形成されている請求項４記載の書見台。
【発明の詳細な説明】
【技術分野】
【０００１】
本発明は、風呂蓋や机の天板、ＯＡ機器用ラックの棚板等の板状体の側辺に対して脱着自在に装着される書見台に関する。
【背景技術】
【０００２】
風呂蓋や机の天板等に用いられる書見台としては従来から種々のものが提案されており、その一例を挙げると、例えば、特許文献１に開示されている書見台の場合では、板状体の側辺に対して挾持状態で脱着自在に嵌合装着される嵌合装着部を備えたベース枠と、嵌合装着部の開口先端側に偏倚した部位で書籍の下端を脱着自在に載置支持する受け部及びこれに載置支持された書籍の背面を嵌合装着部の奥側位置ほど上方に位置する傾斜姿勢で受止める背凭れ部を備えた書籍受け枠とを、一本の線材の折り曲げによって一体形成するとともに、前記ベース枠と書籍受け枠との繋ぎ部分には、書籍受け枠の受け部に載置支持された書籍の下端部を押える押え部材を横軸芯周りで揺動自在に取付けてある。
【０００３】
また、特許文献２に開示されている書見台の場合では、書籍の背面側を傾斜姿勢で受止める線材製の背凭れ部の下端部を曲げ加工して、横軸の両端を支持するコイル状の軸受け部とそれから背面側に水平に延びる座脚を形成し、前記横軸には、板状体の上面に対して前記座脚とで背凭れ部を所定傾斜姿勢に規制する平面視略コの字状で、かつ、書籍の下端部を載置支持する側面視略Ｌ字状に折り曲げ形成された線材製の受け部を、それの両端に巻回形成されたコイル状の筒部を介して取付けてある。
更に、前記横軸には、板状体の上面及び側面に当接可能な側面視略Ｌ字状で、かつ、平面視略コの字状に折り曲げ形成された線材製の第１支持体を、それの両端に巻回形成されたコイル状の筒部を介して揺動自在に取付け、この第１支持体には、板状体の下面に当て付け可能な平面視略Ｕの字状に折り曲げ形成された線材製の第２支持体を、それの両端に巻回形成されたコイル状の筒部を介して揺動自在に取付けるとともに、第２支持体を第１支持体側に近接揺動付勢するコイルスプリングを設け、前記両支持体とコイルスプリングとをもって、板状体の側辺に対してそれの板面方向に沿う方向から挾持状態で脱着自在に嵌合装着される嵌合装着部を構成していた。
【０００４】
【特許文献１】登録実用新案第２７３２４号公報
【特許文献２】実公昭９−５０８号公報
【発明の開示】
【発明が解決しようとする課題】
【０００５】
前者の書見台の場合は、書籍受け枠を構成する背凭れ部が、ベース枠を構成する嵌合装着部の開口先端側に偏倚した部位を最下端とする傾斜姿勢に形成されているため、例えば、風呂蓋に使用する場合では、使用者とは反対側の風呂蓋の側辺に書籍受け枠を嵌合装着しなければならず、その結果、使用者から最も離れた位置に書籍が受止められることになり、書籍が読み辛くなるとともに、ベース枠と書籍受け枠とが一体形成されているために非使用時においても嵩張り易い。
【０００６】
後者の書見台の場合も、背凭れ部が、嵌合装着部の開口先端側に偏倚した部位を最下端とする傾斜姿勢に形成されているため、使用者から最も離れた反対側の板状体の側辺に書籍受け枠を嵌合装着しなければならない不便さがあるとともに、非使用時においても、両支持体を揺動操作しても余り小さくならず、格納面で改善の余地がある。
本発明は、上述の実状に鑑みて為されたものであって、その主たる課題は、お風呂で使用する場合でも、書籍を最も見易く取り扱い易い状態で載置支持することができるとともに、非使用時にはコンパクトに格納することのできる書見台を提供する点にある。
【課題を解決するための手段】
【０００７】
本発明による第１の特徴構成は、板状体の側辺に対して挾持状態で脱着可能に嵌合装着される嵌合装着部を備えたベース枠に、書籍の背面側を嵌合装着部の開口先端側ほど上方に位置する傾斜姿勢で受止める背凭れ部を備えた書籍受け枠を取付けるとともに、前記ベース枠又は書籍受け枠若しくはこれら両者には、嵌合装着部の奥側に偏倚した部位で書籍の下端を脱着自在に載置支持する受け部を形成し、更に、前記ベース枠に対して書籍受け枠を揺動自在に連結して、ベース枠の上部に書籍受け枠が所定姿勢で起立する書籍受止め姿勢と、ベース枠の少なくとも一部が書籍受け枠の書籍受止め領域内に入り込む状態でベース枠を背凭れ部側に近接揺動させた格納姿勢に切換え自在に構成してある点にある。
【０００８】
上記特徴構成によれば、例えば、板状体の一例である風呂蓋に使用する場合、使用者に最も近接する風呂蓋の手前側の側辺に対してベース枠の嵌合装着部を嵌合装着することにより、嵌合装着部の弾性挾持力でベース枠を確実に装着することができるとともに、この状態では、書籍受け枠の受け部が嵌合装着部の奥側である手前側に位置し、かつ、背凭れ部が嵌合装着部の開口先端側ほど上方に位置する傾斜姿勢、つまり、使用者から遠ざかるほど上方に位置する傾斜姿勢にあるから、書籍受け枠の受け部及び背凭れ部に書籍を載置した状態では、書籍が使用者に近い見易い位置でかつ取り扱い易い位置で対面することになる。
【０００９】
しかも、前記ベース枠に対して書籍受け枠を揺動操作することにより、ベース枠の上部に書籍受け枠が所定姿勢で起立する書籍受止め姿勢と、ベース枠の少なくとも一部が書籍受け枠の書籍受止め領域内に入り込む状態で背凭れ部側に近接揺動させた格納姿勢とに切換えることができるから、書籍受け枠の書籍受止め領域を格納空間に利用してコンパクトに格納することができる。
【００１０】
従って、お風呂で使用する場合でも、書籍を最も見易く取り扱い易い状態で載置支持することができるとともに、非使用時にはコンパクトに格納することができる。
【００１１】
本発明による第２の特徴構成は、前記書籍受け枠に、背凭れ部の前面との間で書籍受け板を脱着自在に保持する保持部材が設けられている点にある。
【００１２】
上記特徴構成によれば、書籍受け枠の背凭れ部と保持部材との間に装着される書籍受け板により、大きさや形状等の異なる複数種類の書籍を背凭れ部の前面に沿った傾斜姿勢で確実に受止めることができる。
【００１３】
本発明による第３の特徴構成は、前記書籍受け枠が、下向き開口形状に折り曲げられた背凭れ部を構成する線材部と、この背凭れ用線材部の両下端から前方に延出された受け部を構成する左右一対の線材部と、この両受け用線材部の前端同士を繋ぐ線材部とからなり、前記繋ぎ用線材部には、受け用線材部に載置支持された書籍の前方側への脱落移動を阻止する落ち止め部が上方に屈曲形成されている点にある。
【００１４】
上記特徴構成によれば、前記書籍受け枠の背凭れ部及び受け部を背凭れ用線材及び一対の受け用線材部をもって構造面で簡素に製作することができるとともに、両受け用線材部の前端同士を繋ぐ線材部を利用して、受け用線材部に載置支持された書籍の前方側への脱落移動を阻止する落ち止め部を屈曲形成することができるから、書見台をコスト面で有利に製作することができる。
【００１５】
本発明による第４の特徴構成は、前記ベース枠は、板状体の端部に対する嵌合空間を隔てて上下で相対向する平面視前方開口形状のベース用線材部と、両ベース用線材部の上下方向で相対向する端部同士を繋ぐ一対の？ぎ用線材部とからなり、上側ベース用線材部の前端側には、前記書籍受け枠の繋ぎ用線材部を水平軸芯周りで揺動自在に支承する軸受け筒が設けられている点にある。
【００１６】
上記特徴構成によれば、ベース枠を上下一対のベース用線材部と一対の？ぎ用線材部をもって構造面で簡素に製作することができるとともに、上側ベース用線材部の前端側に設けられた軸受け筒をもって、書籍受け枠の繋ぎ用線材部を水平軸芯周りで揺動自在に支承するための軸受部を構成することができるから、書見台をコスト面及びコスト面で有利に製作することができる。
【００１７】
本発明による第５の特徴構成は、前記保持部材が、書籍受け枠の両受け用線材部の後端側に、背凭れ用線材部との間に書籍受け板を抜き差し自在に保持するための凹部を形成する状態で設けられた線材部から構成されているとともに、前記凹部形成用線材部には、ベース枠の上側線材部に当接して書籍受け枠を書籍受止め姿勢に保持する当り部が形成されている点にある。
【００１８】
上記特徴構成によれば、前記保持部材を、書籍受け枠の両受け用線材部の後端側に設けられた凹部形成用線材部をもって構造面で簡素に製作することができるとともに、この凹部形成用線材部を利用して、書籍受け枠を書籍受止め姿勢に保持する当り部を形成することができ、書見台をコスト面及び構造面で有利に製作することができる。
【発明を実施するための最良の形態】
【００１９】
〔第１実施形態〕
図１〜図１１は、風呂蓋や机の天板、ＯＡ機器用ラックの棚板等の板状体１の側辺に対して脱着自在に装着される書見台を示し、板状体１の側辺に対してそれの板面方向に沿う方向から挾持状態で脱着可能に嵌合装着される嵌合装着部２を備えた金属線材製のベース枠Ａに、書籍Ｂの背面側を嵌合装着部２の開口先端側ほど上方に位置する傾斜姿勢で受止める背凭れ部３を備えた金属線材製の書籍受け枠Ｃが取付けられているとともに、前記書籍受け枠Ｃには、嵌合装着部２の奥側に偏倚した部位で書籍Ｂの下端を脱着自在に載置支持する受け部４が形成されている。
【００２０】
更に、前記ベース枠Ａの嵌合装着部２における上側の最奥端近傍箇所、換言すれば、板状体１に装着したときに使用者側となる前端近傍箇所に対して書籍受け枠Ｃが横軸芯周りで揺動自在に連結されていて、ベース枠Ａの上部に書籍受け枠Ｃが所定傾斜姿勢で起立する書籍受止め姿勢と、ベース枠Ａの少なくとも一部が書籍受け枠Ｃの書籍受止め領域Ｓ１内に入り込む状態でベース枠Ａを背凭れ部３側に近接揺動させた格納姿勢に切換え自在に構成されているとともに、前記書籍受け枠Ｃには、背凭れ部３の前面との間で透明なアクリル樹脂製の書籍受け板５を脱着自在に保持する金属線材製の保持部材６が固着されている。
【００２１】
前記書籍受け枠Ｃは、図１〜図５、図９〜図１１に示すように、正面視ほほ略コの字状の下向き開口形状に折り曲げられた背凭れ部３を構成する線材部９Ａと、この背凭れ用線材部９Ａの両下端から前方に延出された受け部４を構成する左右一対の線材部９Ｂと、この両受け用線材部９Ｂの前端同士を左右方向で繋ぐ線材部９Ｃとからなり、前記繋ぎ用線材部９Ｃの左右両側部分には、左右一対の受け用線材部９Ｂに載置支持された書籍Ｂの前方側への脱落移動を阻止する正面視略下向くＵの字状の落ち止め部１０が上方に屈曲形成されている。
【００２２】
前記繋ぎ用線材部９Ｃのうち、両落ち止め部１０と両受け用線材部９Ｂとの間に左右の水平方向に沿って位置する線材部分が、ベース枠Ａの嵌合装着部２における上側の前端近傍箇所に対して揺動自在に枢支される揺動支点軸部１１に構成されている。
【００２３】
また、前記背凭れ用線材部９Ａの左右方向での内寸法Ｗ１及び両受け用線材部９Ｂ間の内寸法Ｗ１は、ベース枠Ａの両ベース用線材部７Ａ，７Ｂの左右方向での外寸法Ｗ２よりも大に構成されているとともに、前記両落ち止め部１０の左右方向での外寸法Ｗ３は、ベース枠Ａの両ベース用線材部７Ａ，７Ｂの左右方向での内寸法Ｗ４よりも小に構成され、更に、前記揺動支点軸部１１から保持部材６までの最大回動半径Ｒ１が、揺動支点軸部１１からベース枠Ａの下側ベース用線材部７Ｂの前端までの半径Ｒ２よりも大に構成されていて、ベース枠Ａに対する書籍受け枠Ｃの書籍受止め姿勢又は格納姿勢への揺動操作時にベース枠Ａの構成部材と書籍受け枠Ｃの構成部材とが相互に干渉しないように構成されている。
【００２４】
前記ベース枠Ａは、図１〜図８に示すように、板状体１の側辺に対する嵌合空間Ｓ２を隔てて上下で相対向する平面視略コの字状に折り曲げ形成された前方開口形状のベース用線材部７Ａ，７Ｂと、両ベース用線材部７Ａ，７Ｂの上下方向で相対向する前端部同士を繋ぐ一対の繋ぎ用線材部７Ｃ，７Ｃとを一本の金属線材の折り曲げ加工によって一体形成してなる。
【００２５】
更に、前記上側ベース用線材部７Ａの両前端近傍箇所には、前記書籍受け枠Ｃの両揺動支点軸部１１を水平軸芯周りで揺動自在に支承する軸受け筒８と、書籍受け枠Ｃを格納姿勢から書籍受止め姿勢に切換え操作したとき、書籍受け枠Ｃの両受け用線材部９Ｂが上方から当接してベース枠Ａの上面側に所定傾斜姿勢で起立する書籍受止め姿勢に保持する平面視略Ｕの字状に折り曲げ形成された金属線材製の姿勢規制部１２が固着されている。
【００２６】
前記ベース枠Ａの下側ベース用線材部７Ｂは、その先端側ほど上側ベース用線材部７Ａに近接する傾斜姿勢に構成されていて、嵌合装着部２の開口先端側の上下嵌合寸法が奥側の上下嵌合寸法よりも狭く構成することにより、厚みの異なる複数種類の板状体１でも確実に挾持保持できるように構成されている。
【００２７】
また、前記ベース枠Ａの上側ベース用線材部７Ａのうち、書籍受止め領域Ｓ１に臨む左右の前端側部位は、書籍受け枠Ｃの両受け用線材部９Ｂよりも線材径の分だけ下方に位置するが、両受け用線材部９Ｂの内寸法よりも短い書籍の場合では、この小幅の書籍の下端を脱着自在に支持する受け部として機能する。
【００２８】
前記保持部材６は、図１〜図５、図９〜図１１に示すように、書籍受け枠Ｃの背凭れ用線材部９Ａとの間に書籍受け板５を上下又は左右方向から抜き差し自在に保持するための凹部１３を形成する状態で前記両受け用線材部９Ｂの後端部にわたって固着された正面視略下向きコの字状の線材部９Ｄから構成されているとともに、この凹部形成用線材部９Ｄは、背凭れ用線材部９Ａと同一の傾斜に構成されている。
【００２９】
〔第２実施形態〕
上述の第１実施形態では、前記上側ベース用線材部７Ａの両前端近傍箇所には、書籍受け枠Ｃを格納姿勢から書籍受止め姿勢に切換え操作したとき、書籍受け枠Ｃの両受け用線材部９Ｂが上方から当接する平面視略Ｕの字状の姿勢規制部１２を固着したが、図１２、図１３に示すように、前記書籍受け枠Ｃの凹部形成用線材部９Ｄの両下端部に、ベース枠Ａの上側ベース用線材部７Ａに上方から当接して書籍受け枠Ｃを書籍受止め姿勢に保持する当り部１４を折り曲げ形成してもよい。
【００３０】
また、この第２実施形態では、前記ベース枠Ａの上側ベース用線材部７Ａのうち、書籍受止め領域Ｓ１に臨む左右の前端側部位と前記書籍受け枠Ｃの両受け用線材部９Ｂとが同一又は略同一高さに位置するため、前記ベース枠Ａと書籍受け枠Ｃの両者に、嵌合装着部２の奥側に偏倚した部位で書籍Ｂの下端を脱着自在に載置支持する受け部４を形成することになる。
尚、その他の構成は、第１実施形態で説明した構成と同一であるから、同一の構成箇所には、第１実施形態と同一の番号を付記してそれの説明は省略する。
【００３１】
〔その他の実施形態〕
（１）上述の実施形態では、嵌合装着部２の奥側に偏倚した部位で書籍Ｂの下端を脱着自在に載置支持する受け部４を、書籍受け枠Ｃ又は書籍受け枠Ｃとベース枠Ａに設けたが、この受け部４をベース枠Ａにのみ設けて実施してもよい。
（２）上述の実施形態では、前記書籍受け枠Ｃの背凭れ部３の前面と保持部材６との間でアクリル樹脂製の書籍受け板５を脱着自在に保持するように構成したが、このような書籍受け板５を設けずに、書籍受け枠Ｃの背凭れ部３のみで書籍ｂの背面を受止めるように構成してもよい。
（３）上述の実施形態では、前記ベース枠Ａに対して書籍受け枠Ｃを格納姿勢に切換え操作したとき、ベース枠Ａの一部が書籍受け枠Ｃの書籍受止め領域Ｓ１内に入り込むように構成したが、ベース枠Ａ全体が書籍受け枠Ｃの書籍受止め領域Ｓ１内に入り込むように構成してもよい。
【図面の簡単な説明】
【００３２】
【図１】本願発明の第１実施形態を示し、書籍受止め姿勢にあるときの書見台全体の側面図
【図２】書籍受止め姿勢にあるときの書見台全体の正面図
【図３】書籍受止め姿勢にあるときの書見台全体の平面図
【図４】書籍受止め姿勢にあるときの書見台全体の斜視図
【図５】格納姿勢にあるときの書見台全体の側面図
【図６】ベース枠の平面図
【図７】ベース枠の正面図
【図８】ベース枠の側面図
【図９】書籍受け枠の正面図
【図１０】書籍受け枠の平面図
【図１１】書籍受け枠の側面図
【図１２】本願発明の第２実施形態を示す書見台の要部の斜視図
【図１３】第２実施形態を示す書見台全体の側面図
【符号の説明】
【００３３】
Ａ        ベース枠
Ｂ        書籍
Ｃ        書籍受け枠
１        板状体
２        嵌合装着部
３        背凭れ部
４        受け部
５        書籍受け板
６        保持部材
７Ａ      上側ベース用線材部
７Ｂ      下側ベース用線材部
７Ｃ      繋ぎ用線材部
８        軸受け筒
９Ａ      背凭れ用線材部
９Ｂ      受け用線材部
９Ｃ      繋ぎ用線材部
９Ｄ      凹部形成用線材部
１３      凹部
１４      当り部
【図１】
0004564428.tif 000002
【図２】
0004564428.tif 000003
【図３】
0004564428.tif 000004
【図４】
0004564428.tif 000005
【図５】
0004564428.tif 000006
【図６】
0004564428.tif 000007
【図７】
0004564428.tif 000008
【図８】
0004564428.tif 000009
【図９】
0004564428.tif 000010
【図１０】
0004564428.tif 000011
【図１１】
0004564428.tif 000012
【図１２】
0004564428.tif 000013
【図１３】
0004564428.tif 000014